(57)【特許請求の範囲】
【請求項１】
複数の登録会員を擁する利用施設に配置され、前記登録会員に貸し出す複数のロッカーと、前記複数の登録会員を識別する識別情報を記憶している記憶部と、制御部と、前記利用施設内の売場に配置された１台以上の売上端末機と、前記複数の登録会員に固有の識別符号を収納した会員カードとを備える照合システムであって、前記複数のロッカーは、扉の内側に設置された前記会員カードが装着されるカード装着部及び前記会員カードの装着時に前記会員カードの読み書きを行うカードリーダーと、前記扉の外側に設置された各人に固有の身体部分を検出する第１身体検出部とが設けられ、前記１台以上の売上端末機は、外側に各人に固有の身体部分を検出する第２身体検出部と、操作可能な入力部とが設けられ、前記制御部は、１人の登録会員が前記カード装着部に自己の会員カードを装着し、そのロッカーの扉を閉鎖したときに、前記カードリーダーで検出した前記識別符号に基づき、前記第１身体検出部で検出した身体固有情報と前記記憶部に記憶されている対応する身体固有情報とを比較し、それらが一致したときに前記ロッカーの扉を施錠し、また、前記ロッカーの扉が施錠されているときに、前記第２身体検出部で検出された身体固有情報と前記記憶部に記憶されている対応する身体固有情報とを比較し、それらが一致したときに前記カード装着部に装着されている前記会員カードに前記カードリーダーを通して取引データを記録することを特徴とする照合システム。
【請求項２】
前記ロッカーは、扉の外側に操作可能な第１入力部が設けられ、前記制御部は、前記ロッカーの扉が施錠されているときに、前記第１身体検出部で検出した身体固有情報と前記記憶部に記憶されている身体固有情報とを比較し、それらが一致したときに、前記第１入力部の操作によって得られた登録会員に固有の隠蔽符号と前記記憶部に記憶されている対応する固有の隠蔽符号とを比較しそれらが一致したときに、前記ロッカーの施錠を解くことを特徴とする請求項１に記載の照合システム。
【請求項３】
前記ロッカーは、前記カード装着部の設置箇所に対応した部分に窓部が設けられ、前記カード装着部に前記会員カードが装着された際に、前記窓部を通して前記会員カードの一部が見えるものであることを特徴とする請求項１に記載の照合システム。
【請求項４】
前記各売上端末機は、外側に操作可能な第２入力部が設けられ、前記制御部は、前記第２身体検出部で検出された身体固有情報と前記記憶部に記憶されている対応する身体固有情報とを比較し、それらが一致したときに、それに続いて、前記第１入力部の操作によって得られた登録会員に固有の隠蔽符号と前記記憶部に記憶されている対応する固有の隠蔽符号とを比較し、それらが一致したときに、前記カード装着部に装着されている前記会員カードに前記カードリーダーを通して取引データを記録することを特徴とすることを特徴とする請求項１に記載の照合システム。
【請求項５】
前記登録会員に固有の隠蔽符号は、登録会員が設定した暗証番号であることを特徴とする請求項２または４に記載の照合システム。
【請求項６】
前記身体固有情報は、登録会員の指紋表示情報であることを特徴とする請求項１、２、４に記載の照合システム。
【請求項７】
前記会員カードは、利用会員本人の顔写真及び／または氏名が記録され、前記会員カードが前記カード装着部に装着された際に、前記窓部を通して前記顔写真及び／または氏名が見えるようになっていることを特徴とする請求項３に記載の照合システム。
【請求項８】
請求項１に記載の照合システムを動作させるためのプログラムを記録した記録媒体であって、ロッカーの扉の内側に設けられたカード装着部に会員カードが装着され、そのロッカーの扉が閉鎖されたときに、会員カードからの識別符号を読み取る動作、読み取った識別符号に基づいて、第１身体検出部で検出した身体固有情報と記憶部に記憶されている対応する身体固有情報とを比較する動作、それらが一致したときにロッカーの扉を施錠する動作、及び、そのロッカーの扉が施錠されているときに、第２身体検出部で検出した身体固有情報と記憶部に記憶されている対応する身体固有情報とを比較する動作、それらが一致したときにカード装着部に装着されている会員カードに取引データを記録する動作が実行されることを特徴とするプログラムを記録した記録媒体。
【請求項９】
請求項２に記載の照合システムを動作させるためのプログラムを記録した記録媒体であって、ロッカーの扉の内側に設けられたカード装着部に会員カードが装着され、そのロッカーの扉が閉鎖されたときに、会員カードからの識別符号を読み取る動作、読み取った識別符号に基づいて、第１身体検出部で検出した身体固有情報と記憶部に記憶されている対応する身体固有情報とを比較する動作、それらが一致したときにロッカーの扉を施錠する動作、及び、そのロッカーの扉が施錠されているときに、第２身体検出部で検出した身体固有情報と記憶部に記憶されている対応する身体固有情報とを比較する動作、それらが一致したときにカード装着部に装着されている会員カードに取引データを記録する動作、さらに、ロッカーの扉が施錠されているときに、第１身体検出部で検出した身体固有情報と記憶部に記憶されている対応する身体固有情報とを比較する動作、それらが一致したときに、第１入力部の操作によって得られた登録会員に固有の隠蔽符号と記憶部に記憶されている対応する固有の隠蔽符号とを比較する動作、それらが一致したときに、そのロッカーの施錠を解く動作が実行されることを特徴とするプログラムを記録した記録媒体。
【発明の詳細な説明】
【０００１】
【発明の属する技術分野】
本発明は、照合システムに係わり、特に、スポーツ施設のような複数の登録会員を擁する利用施設内に設けられ、登録会員に貸し出すロッカー及び登録会員が利用する売店の売上端末機に適用される照合システムに関する。
【０００２】
【従来の技術】
一般に、フィットネスクラブやスイミングクラブ等のスポーツ施設のように、多数の登録会員を擁している利用施設においては、これらの登録会員が利用施設を利用する際に、自己の衣類、手荷物、貴重品等を収納するために、複数のロッカーが設置されている。そして、登録会員がロッカーを利用する場合には、衣類、手荷物、貴重品等をロッカー内に収納し、ロッカーの扉を閉め、そのロッカーに固有の鍵で施錠をする。この後、登録会員は、施錠したロッカーの鍵を身に付けて持ち歩かねばならない。
【０００３】
また、最近になって、利用施設においては、サービス向上の一環として、スポーツ施設の他に売店やレストラン等を内部に併設したものが多くなっている。そして、登録会員が売店やレストランを利用したい場合には、利用する際に現金の受け渡しを行なう必要があるため、登録会員自身が必要とする額の現金を持ち歩かねばならず、このとき登録会員は、施錠したロッカーの鍵と現金を持ち歩かねばならない。
【０００４】
ところで、この種のロッカーにおいては、登録会員が持ち歩かねばならないロッカーの鍵の紛失や盗難を回避させるため、鍵の代わりに送受信機またはＩＤカードを組み込んだリストバンドを利用し、登録会員がこのリストバンドを腕に巻き付けておくことにより、鍵の持ち歩きの不便さ、及び、紛失や盗難の発生を未然に解消したロッカー管理システムが特開平３−２０２９９７号や特開平１０−３０６６３７号に開示されている。この場合、特開平３−２０２９９７号に開示のロッカー管理システムは、リストバンドに送受信機を組み込んだもので、送受信機とロッカーとの間で非接触状態でＩＤコードの送受を行ない、ＩＤコードが一致した際にロッカーが解錠されるものである。また、特開平１０−３０６６３７号に開示のロッカー管理システムは、リストバンドにＩＤカードを組み込んだもので、ロッカー側に設けられている送受信機とＩＤカードとの間で非接触状態でＩＤコードの送受を行ない、ＩＤコードが一致した際にロッカーが解錠されるものである。
【０００５】
一方、売店やレストラン等を利用する際に、現金を持ち歩くことなく、取引を行なうことができる電子マネーシステムや自動販売機が特開平１０−１５４１９３号や特開平１０−１１６３７８号に開示されている。この場合、特開平１０−１５４１９３号に開示の電子マネーシステムは、利用者を特定する各種の情報や取引残高等を記録したＩＣ部と取引履歴を記録した光記憶部とを具備する電子マネーカードが用いられ、電子マネーカードを電子マネーカード処理端末に装着し、電子マネーカード処理端末を操作することによって、電子マネーカード間で電子的に金銭上の取引が行われるものである。また、特開平１０−１１６３７８号に開示の自動販売機は、自動販売機に利用する顧客の指紋を記憶している記憶部と、指紋検出部とを設け、商品の販売時に顧客の指紋を指紋検出部で検出し、検出した指紋と記憶部に記憶されている指紋とを照合し、それらが一致したときに商品の販売が行なわれるものである。
【０００６】
【発明が解決しようとする課題】
前記特開平３−２０２９９７号及び特開平１０−３０６６３７号に開示のロッカー管理システムは、登録会員が、鍵をそのままの状態で持ち歩く必要がなく、鍵の持ち歩きの不便さ、及び、紛失や盗難の発生を少なくすることができるという利点がある。しかしながら、登録会員が、売店やレストラン等を利用したい場合は、依然として必要な額の現金を持ち歩かねばならず、この点の不便さ、及び、紛失や盗難の発生の解消にはなっていない。
【０００７】
一方、前記特開平１０−１５４１９３号に開示の電子マネーシステムは、登録会員が、売店やレストラン等を利用したい場合に、現金を持ち歩かねばならない点を解消することができるものの、電子マネーカードを持ち歩かねばならず、やはり電子マネーカードの持ち歩きの不便さ、その紛失や盗難の発生の解消にはなっていない。また、特開平１０−１１６３７８号に開示の自動販売機は、登録会員が、現金や各種のカードを持ち歩かねばならない点を解消することができるものの、利用施設内にこのような自動販売機を何台も設置することは現実的ではなく、しかも、登録会員が、このような自動販売機を利用する場合に、利用したい自動販売機にそれぞれ予め自分の指紋を登録しておかなければならないことから、利用施設内の設備として、登録会員にとって必ずしも便利なものということはできない。
【０００８】
本発明は、このような技術的背景に鑑みてなされたもので、その目的は、登録会員が利用施設内のロッカーを使用した場合に、そのロッカーの鍵を持ち歩く必要がなく、また、利用施設内の売店等で商品を購入したい場合に、現金等を持ち歩く必要をなくした照合システムを提供することにある。
【０００９】
【課題を解決するための手段】
前記目的を達成するために、本発明による照合システムは、複数の登録会員を擁する利用施設に配置され、登録会員に貸し出す複数のロッカーと、複数の登録会員を識別する識別情報を記憶している記憶部と、制御部と、利用施設内の売場に配置された１台以上の売上端末機と、複数の登録会員に固有の識別符号を収納した会員カードとを備える照合システムであって、複数のロッカーは、扉の内側に設置された会員カードが装着されるカード装着部及び会員カードの装着時に会員カードの読み書きを行うカードリーダーと、扉の外側に設置された各人に固有の身体部分を検出する第１身体検出部とが設けられ、１台以上の売上端末機は、外側に各人に固有の身体部分を検出する第２身体検出部と、操作可能な入力部とが設けられ、制御部は、１人の登録会員がカード装着部に自己の会員カードを装着し、そのロッカーの扉を閉鎖したときに、カードリーダーで検出した識別符号に基づき、第１身体検出部で検出した身体固有情報と記憶部に記憶されている対応する身体固有情報とを比較し、それらが一致したときにロッカーの扉を施錠し、また、ロッカーの扉が施錠されているときに、第２身体検出部で検出された身体固有情報と記憶部に記憶されている対応する身体固有情報とを比較し、それらが一致したときにカード装着部に装着されている会員カードにカードリーダーを通して取引データを記録する第１の構成を具備している。
【００１０】
また、前記目的を達成するために、本発明による照合システムは、第１の構成に加えて、ロッカーの扉の外側に操作可能な第１入力部が設けられ、制御部は、ロッカーの扉が施錠されているときに、第１身体検出部で検出した身体固有情報と記憶部に記憶されている身体固有情報とを比較し、それらが一致したときに、第１入力部の操作によって得られた登録会員に固有の隠蔽符号と記憶部に記憶されている対応する固有の隠蔽符号とを比較しそれらが一致したときに、ロッカーの施錠を解く第２の構成を具備している。
【００１１】
前記第１の構成または第２の構成によれば、登録会員は、利用施設において、利用施設内に設置のロッカーを使用した際に、ロッカーの鍵を持ち歩く必要がなく、また、利用施設内にある売店等を利用したい場合であっても、現金またはカードを持ち歩く必要がなくなって、利用施設で登録会員が所持しなければならないものが殆んどなくなり、鍵、現金またはカードの持ち歩きの際の不便さをなくし、鍵、現金またはカードの紛失や盗難の発生を回避することができる。なお、第２の構成によれば、ロッカーを解錠するときに、身体固有情報、例えば指紋表示情報の比較と、固有の隠蔽符号、例えば暗証番号との比較の二重の比較照合を行なった後でロッカーを解錠するようにしているので、ロッカーに対するセキュリティを向上させることができる。
【００１２】
この場合、本発明による照合システムは、前記第１の構成または第２の構成において、ロッカーはカード装着部の設置箇所に対応した部分に窓部が設けられ、カード装着部に会員カードが装着された際に、窓部を通して会員カードの一部が見えるような第３の構成、または、会員カードは、利用会員本人の顔写真及び／または氏名が記録され、会員カードがカード装着部に装着された際に、窓部を通して顔写真及び／または氏名が見えるような第３の構成になっている。
【００１３】
前記第３の構成によれば、ロッカーの扉に設けられた窓部を通して会員カードがカード装着部に装着されていること、すなわちロッカーの扉を操作せずに、このロッカーが既に使用されていることが判り、または、窓部を通して会員カードに記録されている顔写真及び／または氏名から自分か使用しているロッカーであることを即座に判別することができる。
【００１４】
【発明の実施の形態】
以下、本発明の実施の形態を図面を用いて説明する。
【００１５】
図１は本発明の実施の形態に係る照合システムの全体構成を概略的に示すブロック図である。
【００１６】
図１において、この照合システムは、制御部１と、記憶部２と、複数（Ｎ）基のロッカー３Ａ、３Ｂ、…  …  …、３Ｎと、複数（Ｍ）台の売上端末機４Ａ、４Ｂ、４Ｃ、…  …  …、４Ｍと、登録会員が個別に携帯している会員カード５とからなる。また、記憶部２は、ＩＤ記憶部（識別符号記憶部）２1 と、暗証番号記憶部（隠蔽符号記憶部）２2 と、指紋表示情報記憶部（身体固有情報記憶部）２3 とを備える。ロッカー３Ａは、カードリーダー３Ａ1 と、操作入力部３Ａ2 と、指紋検出部（第１身体検出部）３Ａ3 とを備え、ロッカー３Ｂは、カードリーダー３Ｂ1 と、操作入力部３Ｂ2 と、指紋検出部（第１身体検出部）３Ｂ3 とを備え、ロッカー３Ｎは、カードリーダー３Ｎ1 と、操作入力部３Ｎ2 と、指紋検出部（第１身体検出部）３Ｎ3 とを備える。売上端末機４Ａは、表示部４Ａ1 と、操作入力部４Ａ2 と、指紋検出部（第２身体検出部）４Ａ3 とを備え、売上端末機４Ｂは、表示部４Ｂ1 と、操作入力部４Ｂ2 と、指紋検出部（第２身体検出部）４Ｂ3 とを備え、売上端末機４Ｃは、表示部４Ｃ1 と、操作入力部４Ｃ2 と、指紋検出部（第２身体検出部）４Ｃ3 とを備え、売上端末機４Ｍは、表示部４Ｍ1 と、操作入力部４Ｍ2 と、指紋検出部（第２身体検出部）４Ｍ3 とを備える。会員カード５は、表面側に登録会員の顔写真５1 や氏名等５2 が表示され、裏面側に登録会員のＩＤ（識別符号）等が記録されている。
【００１７】
この場合、ＩＤ記憶部２1 は、登録会員毎に割り当てられた全登録会員のＩＤが記憶され、暗証番号記憶部２2 は、全登録会員によって個別に設定された暗証番号（隠蔽符号）が記憶され、指紋表示情報記憶部２3 は、全登録会員から検出した指紋表示情報（身体固有情報）が記憶されているもので、ＩＤ記憶部２1 、暗証番号記憶部２2 、指紋表示記憶部２3 には、ＩＤに対応した暗証番号及び指紋表示情報が情報テーブルの形式で記憶収納されている。操作入力部３Ａ2 、３Ｂ2 、３Ｎ2 は、同じ構成のテンキーからなり、登録会員によるキー操作ができるものである。指紋検出部３Ａ3 、３Ｂ3 、３Ｎ3 は、同じ構成のもので、登録会員の指を当接したとき、その指の指紋を指紋表示情報として検出するものである。また、操作入力部４Ａ2 、４Ｂ2 、４Ｃ2 、４Ｍ2 は、同じ構成のテンキーからなり、登録会員等によるキー操作ができるものである。指紋検出部４Ａ3 、４Ｂ3 、４Ｃ3 、４Ｍ3 は、同じ構成のもので、登録会員の指を当接したとき、その指の指紋を指紋表示情報として検出するものである。
【００１８】
そして、記憶部２におけるＩＤ記憶部２1 、暗証番号記憶部２2 、指紋表示記憶部２3 は、それぞれ制御部２に接続される。ロッカー３Ａにおけるカードリーダー３Ａ1 、操作入力部３Ａ2 、指紋検出部３Ａ3 は、それぞれ制御部２に接続され、ロッカー３Ｂにおけるカードリーダー３Ｂ1 、操作入力部３Ｂ2 、指紋検出部３Ｂ3 は、それぞれ制御部２に接続され、ロッカー３Ｎにおけるカードリーダー３Ｎ1 、操作入力部３Ｎ2 、指紋検出部３Ｎ3 は、それぞれ制御部２に接続される。また、売上端末機４Ａにおける表示部４Ａ1 、操作入力部４Ａ2 、指紋検出部４Ａ3 は、それぞれ制御部２に接続され、売上端末機４Ｂにおける表示部４Ｂ1 、操作入力部４Ｂ2 、指紋検出部４Ｂ3 は、それぞれ制御部２に接続され、売上端末機４Ｃにおける表示部４Ｃ1 、操作入力部４Ｃ2 、指紋検出部４Ｃ3 は、それぞれ制御部２に接続され、売上端末機４Ｍにおける表示部４Ｍ1 、操作入力部４Ｍ2 、指紋検出部４Ｍ3 は、それぞれ制御部２に接続される。
【００１９】
次に、図２（ａ）、（ｂ）は、図１に図示された１つのロッカー、例えばロッカー３Ａの構成の一例を示す正面図であって、（ａ）は扉を開いた状態、（ｂ）は扉を閉じた状態を示すものである。
【００２０】
図２（ａ）、（ｂ）において、ロッカー３Ａは、ロッカー部６Ａと、ロッカー扉７Ａと、カード収納部８Ａと、窓部９Ａとを備えており、図１に図示された構成要素と同じ構成要素については同じ符号を付けている。
【００２１】
そして、ロッカー扉７Ａは、ロッカー部６Ａに対して開閉可能に装着され、ロッカー部６Ａとロッカー扉７Ａとの間に電子錠（図２に図示なし）が設けられている。ロッカー扉７Ａの内側には、会員カード５が挿入装着されるカード収納部８Ａが設けられ、カード収納部８Ａに装着された会員カード５に対向するようにカードリーダー３Ａ1 （図２に図示なし）が配置されている。ロッカー扉７Ａの外側には、カード収納部８Ａに対向した位置に窓部９Ａが設けられ、窓部９Ａの下側に入力操作部３Ａ2 と、指紋検出部３Ａ3 とが設置されている。
【００２２】
この窓部９Ａを設けたことにより、会員カード５が装着されていること、すなわちロッカー３Ａが使用中であることが判り、また、窓部９Ａから会員カード５に記録されている顔写真５1 や氏名等５2 を露出表示させることにより、登録会員は、自分が使用中のロッカー３Ａであることが判る。
【００２３】
なお、ロッカー３Ａ以外の他のロッカー３Ｂ、３Ｎも、ロッカー３Ａと同じ構成のものからなっている。
【００２４】
続く、図３は、図１に図示された１つの売上端末機、例えば売上端末機４Ａの構成の一例を示す上面図である。
【００２５】
図３において、図１に図示された構成要素と同じ構成要素については同じ符号を付けている。
【００２６】
そして、売上端末機４Ａは、上側に傾斜部が設けられ、その傾斜部に表示部４Ａ1 と、操作入力部４Ａ2 と、指紋検出部４Ａ3 が設置されている。
【００２７】
なお、売上端末機４Ａ以外の他の売上端末機４Ｂ、４Ｃ、４Ｍも、売上端末機４Ａと同じ構成のものからなっている。
【００２８】
次いで、図４、図５及び図６は、この照合システムにおいて実行される各種の動作の経緯を示すフローチャートであって、図４は、登録会員が使用するロッカーの扉が施錠される際の動作の経緯、図５は、登録会員が使用していたロッカーの扉が解錠される際の動作の経緯、図６は、登録会員が売店等で商品購入を行なった際の動作の経緯をそれぞれ示すものである。
【００２９】
図４乃至図６のフローチャートを参照して、図１に図示の照合システムで実行される動作について説明すると、次の通りである。
【００３０】
ここで、図４に図示されたフローチャートを用い、利用施設内に設置されている１つのロッカー、例えばロッカー３Ａを、１人の登録会員（以下、この登録会員を利用登録会員という）が使用を開始してからそのロッカー３Ａの扉７Ａが施錠されるまでの動作について説明する。
【００３１】
まず、ステップＳ１において、利用登録会員は、ロッカー３Ａの扉７Ａを開き、ロッカーの扉７Ａの内側に設置されているカード収納部８Ａに自己の会員カード５を挿入装着する。
【００３２】
次に、ステップＳ２において、利用登録会員は、会員カード５をカード収納部８Ａに装着したことを確認した後、ロッカーの扉７Ａを閉める。このとき、会員カード５がカード収納部８Ａに正規の状態で装着されていれば、扉７Ａの窓部９Ａを通して会員カード５の表面側に表示されている利用登録会員の顔写真５1 や氏名等５2 を見ることができる。
【００３３】
次いで、ステップＳ３において、制御部１は、カード収納部８Ａに装着された会員カード５からカードリーダー３Ａ1 を通してＩＤを読み出し、ＩＤの読み出し（検出）ができたか否かを判断する。そして、制御部１は、ＩＤの読み出しができたと判断した（Ｙ）ときは次のステップＳ４に移行し、一方、ＩＤの読み出しができなかったと判断した（Ｎ）ときはこの一連のフローチャートを終了させる。
【００３４】
続いて、ステップＳ４において、制御部１は、読み出したＩＤがＩＤ記憶部２1 に記憶されているいずれかのＩＤと一致するか否かを判断する。そして、制御部１は、ＩＤ記憶部２1 に記憶されているＩＤと一致すると判断した（Ｙ）ときは次のステップＳ５に移行し、一方、ＩＤ記憶部２1 に記憶されているＩＤと一致しないと判断した（Ｎ）ときはこの一連のフローチャートを終了させる。
【００３５】
なお、ステップＳ３及びステップＳ４は、カード収納部８Ａに会員カード５が装着され、ロッカーの扉７Ａが閉められたときに実行されるか、または、後述するステップＳ５において、指紋検出部３Ａ3 に利用登録会員の指が当接された直後に実行される。
【００３６】
続く、ステップＳ５において、利用登録会員は、ロッカーの扉７Ａの外側に設けられている指紋検出部３Ａ3 に自分の指定された指を当接させ、指紋検出部３Ａ3 においてその指の指紋を読み取った指紋表示情報を発生させる。このとき、制御部１は、指紋検出部３Ａ3 から指紋表示情報が発生された（指紋が検出された）か否かを判断する。そして、制御部１は、指紋表示情報が発生されたと判断した（Ｙ）ときは次のステップＳ６に移行し、一方、指紋表示情報が発生されていないと判断した（Ｎ）ときはこの一連のフローチャートを終了させる。
【００３７】
次に、ステップＳ６において、ステップＳ４において一致したＩＤに基づいて指紋検出部３Ａ3 が発生した指紋表示情報と、指紋表示情報記憶部２3 に記憶されている前記一致したＩＤに対応した指紋表示情報とを比較照合し、これらの指紋表示情報が一致しているか否かを判断する。そして、制御部１は、これらの指紋表示情報が一致していると判断した（Ｙ）ときは次のステップＳ７に移行し、一方、これらの指紋表示情報が一致していないと判断した（Ｎ）ときはこの一連のフローチャートを終了させる。
【００３８】
次いで、ステップＳ７において、制御部１は、これまでの動作の経緯から、ロッカー３Ａの使用者が正規の利用登録会員であると認定し、ロッカー３Ａに施錠信号を供給する。そして、この施錠信号の供給により、ロッカー３Ａの扉７Ａは電子的に施錠される。
【００３９】
また、図５に図示されたフローチャートを用い、利用登録会員が使用していた施錠されたロッカー３Ａについて、そのロッカー３Ａの扉７Ａが解錠されるまでの動作について説明する。
【００４０】
始めに、ステップＳ１１において、制御部１は、カード収納部８Ａに収納された会員カード５からカードリーダー３Ａ1 を通してＩＤを読み出し、ＩＤの読み出し（検出）ができたか否かを判断する。そして、制御部１は、ＩＤの読み出しができたと判断した（Ｙ）ときは次のステップＳ１２に移行し、一方、ＩＤの読み出しができなかったと判断した（Ｎ）ときはこの一連のフローチャートを終了させる。
【００４１】
次に、ステップＳ１２において、制御部１は、読み出したＩＤがＩＤ記憶部２1 に記憶されているいずれかのＩＤと一致するか否かを判断する。そして、制御部１は、ＩＤ記憶部２1 に記憶されているＩＤと一致すると判断した（Ｙ）ときは次のステップＳ１３に移行し、一方、ＩＤ記憶部２1 に記憶されているＩＤと一致しないと判断した（Ｎ）ときはこの一連のフローチャートを終了させる。
【００４２】
なお、ステップＳ１１及びステップＳ１２は、後述するステップＳ１３において、指紋検出部３Ａ3 に利用登録会員の指が当接された直後に実行される。
【００４３】
次いで、ステップＳ１３において、利用登録会員は、ロッカーの扉７Ａの外側に設けられている指紋検出部３Ａ3 に自分の指定された指を当接させ、指紋検出部３Ａ3 においてその指の指紋を読み取った指紋表示情報を発生させる。このとき、制御部１は、指紋検出部３Ａ3 から指紋表示情報が発生された（指紋が検出された）か否かを判断する。そして、制御部１は、指紋表示情報が発生されたと判断した（Ｙ）ときは次のステップＳ１４に移行し、一方、指紋表示情報が発生されていないと判断した（Ｎ）ときはこの一連のフローチャートを終了させる。
【００４４】
続いて、ステップＳ１４において、制御部１は、ステップＳ１２において一致したＩＤに基づいて指紋検出部３Ａ3 が発生した指紋表示情報と、指紋表示情報記憶部２3 に記憶されている前記一致したＩＤに対応した指紋表示情報とを比較照合し、これらの指紋表示情報が一致しているか否かを判断する。そして、制御部１は、これらの指紋表示情報が一致していると判断した（Ｙ）ときは次のステップＳ１５に移行し、一方、これらの指紋表示情報が一致していないと判断した（Ｎ）ときはこの一連のフローチャートを終了させる。
【００４５】
続く、ステップＳ１５において、利用登録会員は、ロッカーの扉７Ａの外側に設けられている操作入力部（テンキー）３Ａ2 を操作し、自分が設定した暗証番号を入力する。このとき、制御部１は、操作入力部３Ａ2 に暗証番号が入力された（暗証番号情報が出力された）か否かを判断する。そして、制御部１は、暗証番号が入力されたと判断した（Ｙ）ときは次のステップＳ１６に移行し、一方、暗証番号が入力されていないと判断した（Ｎ）ときはこの一連のフローチャートを終了させる。
【００４６】
次に、ステップＳ１６において、制御部１は、ステップＳ１２において一致したＩＤに基づいて操作入力部３Ａ2 から出力された暗証番号情報と、暗証番号記憶部２2 に記憶されている前記一致したＩＤに対応した暗証番号情報とを比較照合し、これらの暗証番号情報が一致しているか否かを判断する。そして、制御部１は、これらの暗証番号情報が一致していると判断した（Ｙ）ときは次のステップＳ１７に移行し、一方、これらの暗証番号情報が一致していないと判断した（Ｎ）ときはこの一連のフローチャートを終了させる。
【００４７】
次いで、ステップＳ１７において、制御部１は、これまでの動作の経緯から、ロッカー３Ａの操作者が正規の利用登録会員であると認定し、ロッカー３Ａに解錠信号を供給する。そして、この解錠信号の供給により、ロッカー３Ａの扉７Ａは電子的に解錠される。
【００４８】
この他に、図６に図示されたフローチャートを用い、利用登録会員がロッカー３Ａを使用し、その扉７Ａが施錠されているときに、利用施設内の売店等で商品の購入を行った際の動作について説明する。この場合の動作の説明としては、売店等には、少なくとも１台の売上端末機、例えば売上端末機４Ａが設置されており、利用登録会員がこの売上端末機４Ａの操作を行なうものとする。
【００４９】
まず、ステップＳ２１において、利用登録会員は、購入する商品、その商品の購入金額を確認し、売上端末機４Ａの操作入力部（テンキー）４Ａ2 を操作し、購入する商品のコード番号及び購入金額を入力する。また、購入する商品が複数ある場合は、最初の入力に引き続いて、同じように購入する商品のコード番号及び購入金額を順次入力する。
【００５０】
次に、ステップＳ２２において、制御部１は、ステップＳ２１において入力された購入金額の一覧または総計を表示部４Ａ1 に表示させる。
【００５１】
次いで、ステップＳ２３において、利用登録会員は、売上端末機４Ａに設けられている指紋検出部４Ａ3 に自分の指定された指を当接させ、指紋検出部４Ａ3 においてその指の指紋を読み取った指紋表示情報を発生させる。このとき、制御部１は、指紋検出部４Ａ3 から指紋表示情報が発生された（指紋が検出された）か否かを判断する。そして、制御部１は、指紋表示情報が発生されたと判断した（Ｙ）ときは次のステップＳ２４に移行し、一方、指紋表示情報が発生されていないと判断した（Ｎ）ときはこの一連のフローチャートを終了させる。
【００５２】
続いて、ステップＳ２４において、制御部１は、指紋検出部４Ａ3 が発生した指紋表示情報（検出指紋表示情報）と、指紋表示情報記憶部２3 に記憶されている各指紋表示情報（収納指紋表示情報）とを比較照合し、収納指紋表示情報の中に検出指紋表示情報と一致する収納指紋表示情報があるか否かを判断する。そして、制御部１は、検出指紋表示情報に一致する収納指紋表示情報があると判断した（Ｙ）ときは次のステップＳ２５に移行し、一方、検出指紋表示情報と一致する収納指紋表示情報がないと判断した（Ｎ）ときはこの一連のフローチャートを終了させる。
【００５３】
続く、ステップＳ２５において、制御部１は、ステップＳ２４において一致すると判断した収納指紋表示情報に対応するＩＤを検出し、そのＩＤが記録されている会員カード５（またはロッカー３Ａ）を確認する。
【００５４】
次に、ステップＳ２６において、制御部１は、これまでの動作の経緯から、売上端末機４Ａの操作者が正規の利用登録会員であり、正規の状態でロッカー３Ａを使用中であると認定し、ロッカー３Ａのカードリーダー３Ａ1 に取引明細情報を供給する。そして、この取引明細情報が供給されたカードリーダー３Ａ1 は、会員カード５に今回の商品購入における取引の内容を記録する。また、制御部１は、確認のために、自己の記憶部に同じ取引の内容を記憶させる。
【００５５】
この場合、会員カード５に記録された商品購入による取引の内容は、登録会員が利用施設から退出する際に提示して、現金によって清算してもよく、また、会員カード５がクレジットカードの機能を備えているものであれば、後日、対応する金融機関に払込むようにしてもよく、会員カード５が電子マネーカードの機能を備えているものであれば、電子マネーカード間で清算のための取引を行なうようにしてもよい。
【００５６】
なお、この実施の形態による照合システムにおいては、第１及び第２身体検出部にそれぞれ指紋検出部３Ａ3 、３Ｂ3 、３Ｎ3 、４Ａ3 、４Ｂ3 、４Ｃ3 、４Ｍ3 を用い、身体固有情報として指紋の検出によって得られた指紋表示情報を用いた例を挙げて説明したが、本発明による第１及び第２身体検出部、身体固有情報は、これらに限られるものでなく、第１及び第２身体検出部として声紋検出部または虹彩検出部を用い、身体固有情報として声紋または虹彩の検出によって得られた声紋情報または虹彩情報であってもよく、指紋、声紋、虹彩の中のいずれか２つの組み合わせであってもよい。
【００５７】
また、この実施の形態による照合システムにおいては、識別符号にＩＤを、隠蔽符号に暗証番号をそれぞれ用いた例を挙げて説明したが、本発明による識別符号や隠蔽符号は、これらに限られるものでなく、識別符号や隠蔽符号にそれぞれ類似の他の符号を用いてもよい。
【００５８】
さらに、この実施の形態による照合システムにおいては、制御部１が中央に単独で配置されているを挙げて説明したが、本発明によるシステムは、制御部１を分割し、その１つを中央に、他のものを各ロッカー３Ａ、３Ｂ、３Ｎ及び各売上端末機４Ａ、４Ｂ、４Ｃ、４Ｍにそれぞれ配置するようにしてもよく、中央と各ロッカー３Ａ、３Ｂ、３Ｎ側だけにそれぞれ配置するようにしてもよく、中央と各売上端末機４Ａ、４Ｂ、４Ｃ、４Ｍ側だけにそれぞれ配置するようにしてもよい。
【００５９】
【発明の効果】
以上説明したように、請求項１に記載の発明によれば、登録会員は、利用施設において、利用施設内に設置のロッカーを使用した際に、いちいちロッカーの鍵を持ち歩く必要がなく、また、利用施設内にある売店等を利用したい場合であっても、現金またはカードを持ち歩く必要がなくなって、利用施設で登録会員が所持しなければならないものが殆んどなくなる。このため、鍵、現金またはカードを持ち歩きする際の不便さがなくなり、鍵、現金またはカードの紛失や盗難の発生を回避することができるという効果がある。
【００６０】
また、請求項２に記載の発明によれば、ロッカーを解錠するときに、身体固有情報、例えば指紋表示情報の比較と、固有の符号、例えば暗証番号の比較との二重の比較照合を行なった後で、ロッカーを解錠するようにしているので、ロッカーに対するセキュリティを向上させることができるという効果がある。
【図面の簡単な説明】
【図１】本発明の実施の形態に係る照合システムの全体構成を概略的に示すブロック図である。
【図２】図１に図示された１つのロッカーの構成の一例を示す正面図である。
【図３】図１に図示された１つの売上端末機の構成の一例を示す上面図である。
【図４】登録会員が使用するロッカーの扉が施錠される際の動作の経緯を示すフローチャートである。
【図５】登録会員が使用していたロッカーの扉が解錠される際の動作の経緯を示すフローチャートである。
【図６】登録会員が売店等で商品購入を行なった際の動作の経緯を示すフローチャートである。
【符号の説明】
１  制御部
２  記憶部
２1   ＩＤ記憶部（識別符号記憶部）
２2   暗証番号記憶部（隠蔽符号記憶部）
２3   指紋表示情報記憶部（身体固有情報記憶部）
３Ａ、３Ｂ、３Ｎ  ロッカー
３Ａ1 、３Ｂ1 、３Ｎ1   カードリーダー
３Ａ2 、３Ｂ2 、３Ｎ2   操作入力部
３Ａ3 、３Ｂ3 、３Ｎ3   指紋検出部（第１身体検出部）
４Ａ、４Ｂ、４Ｃ、４Ｍ  売上端末機
４Ａ1 、４Ｂ1 、４Ｃ1 、４Ｍ1   表示部
４Ａ2 、４Ｂ2 、４Ｃ2 、４Ｍ2   操作入力部
４Ａ3 、４Ｂ3 、４Ｃ3 、４Ｍ3   指紋検出部（第２身体検出部）
５  会員カード
５1   顔写真
５2   氏名等
６Ａ  ロッカー部
７Ａ  ロッカーの扉
８Ａ  カード収納部
９Ａ  窓部
【図１】
0004044248.tif 000002
【図２】
0004044248.tif 000003
【図３】
0004044248.tif 000004
【図４】
0004044248.tif 000005
【図５】
0004044248.tif 000006
【図６】
0004044248.tif 000007